(57)【要約】      （修正有）【課題】バランスを保って自立させることができ、量産可能な樹木模型を提供する。【解決手段】立体形状にする前の樹木パーツ２が取り付いた本体１を薄型の樹脂材または紙材を用いたシート状とし、薄手の包装材に入れて保管や運搬することを可能にする。あらかじめレーザーカッターにより切り抜き加工された樹木パーツ２を本体１から切り取り、幹７から枝元５を手で折り曲げて立体形状にする。それを可能にするために、各々の枝３の間に隙間４を設け、複数の枝３を独立させるようにする。【選択図】図２
0003189355.tif 000002
【実用新案登録請求の範囲】
【請求項１】
建築模型または景観模型に用いる模型で、樹木状に模したシート状の樹脂材または紙材を折り曲げることにより立体形状にできる樹木模型。
【請求項２】
本体が、あらかじめコンピュータで作成したデジタルデータをもとに、レーザーカッターを用いて切り抜き加工された樹木状に模した樹木形状の部品と、それを固定するつなぎと枠で一体形成された請求項１に記載の樹木模型。
【請求項３】
前記本体はシート状であり、包装材に入れて保管及び運搬できる請求項２に記載の樹木模型。
【請求項４】
前記本体が、レーザーカッターを用いた切り抜き加工によって、複製及び量産可能である請求項３に記載の樹木模型。
【請求項５】
前記本体から樹木状に模した樹木形状の部品を切り取り、幹から枝元を手で折り曲げることで立体形状にできる請求項４に記載の樹木模型。
【請求項６】
前記樹木状に模した樹木形状の部品の根元を、建築模型または景観模型上に直にカッターナイフで入れた切れ込みに差し込むことで、バランスを保って自立させることができる請求項５に記載の樹木模型。
【考案の詳細な説明】
【技術分野】
【０００１】  本考案は、建築模型及び景観模型（以下、ベース模型）の添景として用いる樹木模型の保管、運搬、製作における効率化を目的とし、包装材に入れて保管及び運搬できる樹脂製または紙製のシート状の本体から、あらかじめレーザーカッターで切り抜き加工された樹木パーツを切り出し、手で枝元を折り曲げて立体形状にした後、根元をベース模型上に直接差し込むことでバランスを保って自立させる、量産可能な樹木模型に関するものである。
【背景技術】
【０００２】  ベース模型の添景として用いる樹木模型は、実際の植物の枯れ枝を利用した自然材料と、樹脂製または金属製の幹や枝に、葉を模したスポンジを接着した立体形状の製品が普及している。【０００３】  また、樹木模型のベース模型への設置方法は、幹の断面形状に合わせた穴を開けて差し込むか、模型下部に重りまたはマグネットをつけて置く方法がとられている。
【先行技術文献】
【特許文献】
【０００４】
【特許文献１】実用新案公開平６−５９８６８
【特許文献２】登録実用新案第３１２４８１４号
【考案の概要】
【考案が解決しようとする課題】
【０００５】  解決しようとする問題点は、従来の樹木模型では実際の植物の枯れ枝を利用したものか、樹脂製または金属製で造形されたものであり、いずれも立体形状であるため薄手の包装材に入れて保管や運搬をすることはできなかった点である。
また、特許文献１においては実際の植物の枯れ枝を利用した自然材料のため、同形状の樹木模型を複製することが実質的に不可能な点もある。
さらに、樹木模型をベース模型上に自立させる方法において、従来の樹木模型においては、ベース模型に幹の太さの穴を千枚通し等で開けて樹木模型の根元を差し込むか、接着剤で接着するか、あるいは根元に重りをつけるか、特許文献２のように根元にマグネットを取り付けて置くしかなかったという点もある。
【課題を解決するための手段】
【０００６】  本考案は、上記課題を解決するため、樹木模型の保管、運搬及び製作の効率化を促進し、また同形状の樹木模型を量産できることを特徴とする。
まず、立体形状にする前の樹木模型パーツ（２）が取り付いた本体（１）を薄型の樹脂材または紙材を用いたシート状とし、薄手の包装材に入れて保管や運搬することを可能にした。
また、あらかじめレーザーカッターにより切り抜き加工された樹木のパーツ（２）をシート枠（９）との間にあるつなぎ（８）部分で切り取り、幹（７）と枝（３）の間の枝元（５）部分を手で折り曲げて立体形状にするが、それを可能にするために、隙間（４）を設け、複数の枝（３）を独立させた。
さらに、根元（６）をベース模型にあらかじめ用意したカッターナイフの切り込みに挿入すことで、樹木パーツ（２）がバランスを保って自立できるようにした。
この根元（６）の先端は幹（７）よりも細くすることで、ベース模型の切り込みへの挿入効率が向上すると同時に、ベース模型にカッターナイフで開ける切れ込みの長さを短くすることも可能とした。
この本体（１）はあらかじめコンピュータで作図されたデジタルデータを元にレーザーカッターにより複製できるため、同型の樹木パーツ（２）を量産可能にした。
【考案の効果】
【０００７】  以上の説明から明らかなように、本考案にあっては次に列挙する効果が得られる。
（イ）請求項１記載の考案によれば、建築模型または景観模型に用いる模型で、樹木状に模したシート状の樹脂材または紙材を折り曲げることで立体形状にできる樹木模型の作製を実現できる。
（ロ）請求項２記載の考案によれば、本体が、あらかじめコンピュータで作成したデジタルデータをもとにレーザーカッターを用いて切り抜き加工された樹木状に模した樹木形状の部品と、それを固定するつなぎと枠で一体形成された樹木模型の作製を実現できる。
（ハ）請求項３記載の考案によれば、本体がシート状にすることにより、包装材に入れて保管及び運搬する効果を実現できる。
（ニ）請求項４記載の考案によれば、本体をレーザーカッターを用いた切り抜き加工をすることで、複製及び量産する効果を実現できる。
（ホ）請求項５記載の考案によれば、本体から樹木状に模した樹木形状の部品を切り取り、幹から枝元を手で折り曲げることで立体形状にする効果を実現できる。
（ヘ）請求項６記載の考案によれば、樹木状に模した樹木形状の部品の根元を、建築模型または景観模型上に直にカッターナイフで入れた切れ込みに差し込むことで、バランスを保って自立させる効果を実現できる。
【図面の簡単な説明】
【０００８】
【図１】  図１は本考案の本体（１）の全体図である。
【図２】  図２は本考案の本体（１）の部分拡大図である。
【図３】  図３は本考案の樹木パーツ（２）の枝（３）を枝元（５）で折り曲げて、立体形状にした後の斜視図である。
【図４】  図４は本考案の樹木パーツ（２）の枝（３）を枝元（５）で折り曲げて、立体形状にした後の上面図である。
【考案を実施するための形態】
【０００９】  以下、本考案の実施の形態を図に基づいて説明する。
【実施例１】
【００１０】  図１は本考案の本体（１）の全体図であり、本体（１）は薄型の樹脂材または紙材の厚みをもったシート状の形態をもち、樹木を模した樹木パーツ（２）が、つなぎ（８）によって、シート枠（９）に固定されている。
【実施例２】
【００１１】  図２は本考案の本体（１）の部分拡大図であり、樹木パーツ（２）は、あらかじめコンピュータで作図されたデジタルデータを用いて、レーザーカッターにより樹木の形状に切り出し加工されたものである。樹木パーツ（２）は、つなぎ（８）をカッターナイフで切って本体（１）から取り出す。幹（７）から枝元（５）を手で折り曲げられるよう各々の枝（３）の間に隙間（４）を設け、複数の枝（３）がそれぞれ独立した形状とする。根元（６）の先端は、幹（７）よりも細くなる形状とし、根元（６）をベース模型のカッターナイフの切れ込みに差し込んで自立させる。
【実施例３】
【００１２】  図３は本考案の樹木パーツ（２）の枝（３）を枝元（５）で折り曲げて、立体形状にした後の斜視図であり、幹（７）を手で持ち、根元（６）をベース模型のカッターナイフの切れ込みに差し込んで自立させる。
【実施例４】
【００１３】  図４は本考案の樹木パーツ（２）の枝（３）を枝元（５）で折り曲げて、立体形状にした後の上面図であり、複数の枝（３）がほぼ均等の角度で複数の方向に指すように折り曲げることで、枝を張る樹木を模した立体形状が得られる。
【産業上の利用可能性】
【００１４】  本考案により、ベース模型の添景として用いる樹木模型の保管、運搬及び製作の効率化が期待できる。また、本考案の本体は複製可能なことから、同形状の樹木模型を量産できる。
【符号の説明】
【００１５】１  本体
２  樹木パーツ
３  枝
４  隙間
５  枝元
６  根元
７  幹
８  つなぎ
９  シート枠
【図１】
0003189355.tif 000003
【図２】
0003189355.tif 000004
【図３】
0003189355.tif 000005
【図４】
0003189355.tif 000006
【手続補正書】
【提出日】平成25年12月3日(2013.12.3)
【手続補正１】
【補正対象書類名】実用新案登録請求の範囲
【補正対象項目名】請求項１
【補正方法】変更
【補正の内容】
【請求項１】
建築模型または景観模型に用いる模型であり、樹脂材または紙材からなり折り曲げることにより、立体形状の樹木状に模した樹木形状にできるようにした本体からなる樹木模型。